(57)【要約】【課題】外部記憶装置の消費電力を低減する電子機器、データ管理システム、及びデータ管理方法を提供することを課題とする。【解決手段】実施の形態の電子機器は、外部記憶装置から、前記外部記憶装置が記憶するコンテンツに関するデータを受信する受信手段と、前記受信手段が受信した前記コンテンツに関するデータに基づいて、複数の記憶装置に記憶されたコンテンツに関するデータを示す表示画像を作成する表示作成手段と、を具備し、前記受信手段は、起動してから前記表示画像を作成する指示を受けるまでの間に前記コンテンツに関するデータを受信する。【選択図】図５
2012142786.tif 000002
【特許請求の範囲】
【請求項１】
外部記憶装置から、前記外部記憶装置が記憶するコンテンツに関するデータを受信する受信手段と、
前記受信手段が受信した前記コンテンツに関するデータに基づいて、複数の記憶装置に記憶されたコンテンツに関するデータを示す表示画像を作成する表示作成手段と、を具備し、
前記受信手段は、起動してから前記表示画像を作成する指示を受けるまでの間に前記コンテンツに関するデータを受信する電子機器。
【請求項２】
前記外部記憶装置に格納されるコンテンツに追加または削除がある場合、この外部記憶装置について前記受信手段が受信したデータを更新する更新手段を更に具備する請求項１記載の電子機器。
【請求項３】
前記表示作成手段は、前記受信手段が受信したデータについてのコンテンツ、及び前記更新手段が更新したデータについてのコンテンツの少なくともどちらか一方を含むコンテンツを検索するための検索表示を作成する請求項２記載の電子機器。
【請求項４】
前記表示作成手段は、前記受信手段が受信したデータについてのコンテンツ、及び前記更新手段が更新したデータについてのコンテンツの少なくともどちらか一方を含むコンテンツのリスト表示を作成する請求項２記載の電子機器。
【請求項５】
前記受信手段は、複数の前記外部記憶装置から、それぞれの前記外部記憶装置が記憶するコンテンツに関するデータを受信する請求項１記載の電子機器。
【請求項６】
前記更新手段は、前記コンテンツに関するデータを纏めたデータベースを更新する請求項２記載の電子機器。
【請求項７】
前記表示作成手段が作成した表示画像を表示する表示部を更に具備する請求項１記載の電子機器。
【請求項８】
記憶装置と、
前記記憶装置から、前記記憶装置が記憶するコンテンツに関するデータを受信する受信手段と、前記受信手段が受信した前記コンテンツに関するデータに基づいて、複数の記憶装置に記憶されたコンテンツに関するデータを示す表示画像を作成する表示作成手段と、を具備し、前記受信手段は、起動してから前記表示画像を作成する指示を受けるまでの間に前記コンテンツに関するデータを受信する電子機器と、
を具備するデータ管理システム。
【請求項９】
外部記憶装置から、前記外部記憶装置が記憶するコンテンツに関するデータを受信し、
受信した前記コンテンツに関するデータに基づいて、複数の記憶装置に記憶されたコンテンツに関するデータを示す表示画像を作成するデータ管理方法であって、
起動してから前記表示画像を作成する指示を受けるまでの間に前記コンテンツに関するデータを受信するデータ管理方法。
【発明の詳細な説明】
【技術分野】
【０００１】
本発明の実施の形態は電子機器、データ管理システム、及びデータ管理方法に関する。
【背景技術】
【０００２】
例えば、デジタルテレビジョン等の電子機器において、外部の記憶装置（例えば、ＨＤＤ）と接続可能であり、外部の記憶装置に格納されているコンテンツを視聴することの可能な電子機器が提供されている。
【０００３】
これらの電子機器の中では、複数の外部記憶装置を接続でき、別々の外部記憶装置に格納されているコンテンツ、又は別々の外部記憶装置が出力可能なコンテンツをシームレスに鑑賞することの可能なものがある。
【先行技術文献】
【特許文献】
【０００４】
【特許文献１】特願２００７−１０４３２８号公報
【発明の概要】
【発明が解決しようとする課題】
【０００５】
上記のような電子機器において、例えばリスト表示／コンテンツ検索等によって複数の外部記憶装置に格納されているコンテンツの最新の情報を確認する場合には、その都度、確認する外部記憶装置の全てをアクティブな状態（例えばＨＤＤであれば磁気ディスクが回転／ヘッドが動作している状態）にして、最新のコンテンツの情報を確認する場合があり、これによる外部記憶装置の消費電力は大きいものとなっていた。
【０００６】
本発明は上記事情に鑑みてなされたものであって、外部記憶装置の消費電力を低減する電子機器、データ管理システム、及びデータ管理方法を提供することを課題とする。
【課題を解決するための手段】
【０００７】
実施の形態の電子機器は、外部記憶装置から、前記外部記憶装置が記憶するコンテンツに関するデータを受信する受信手段と、前記受信手段が受信した前記コンテンツに関するデータに基づいて、複数の記憶装置に記憶されたコンテンツに関するデータを示す表示画像を作成する表示作成手段と、を具備し、前記受信手段は、起動してから前記表示画像を作成する指示を受けるまでの間に前記コンテンツに関するデータを受信する。
【図面の簡単な説明】
【０００８】
【図１】実施形態におけるデータ管理システムの構成、及びＤＴＶの内部構成の一例を示すブロック図。
【図２】実施形態におけるメタＤＢの一例を示す概念図。
【図３】実施形態におけるコンテンツリストの一例を示す図。
【図４】実施形態におけるコンテンツ検索画面の一例を示す図。
【図５】実施形態におけるメタＤＢの作成／更新に関する処理の一例を示すフロー図。
【図６】実施形態におけるメタＤＢの更新処理の一例を示すフロー図。
【図７】実施形態におけるコンテンツリスト／コンテンツ検索画面の作成処理の一例を示すフロー図。
【発明を実施するための形態】
【０００９】
実施形態を図面を参照しながら、以下で説明する。
【００１０】
まず、本実施形態における電子機器の一例であるＤＴＶ１のハードウェア構成、およびデータ管理システムについて説明する。
【００１１】
図１は本実施形態におけるデータ管理システム１３の構成、及びＤＴＶ１の内部構成の一例を示すブロック図である。
【００１２】
データ管理システム１３はＤＴＶ１、外部ＨＤＤ３乃至１０、ＵＳＢハブ１１、１２を有しており、外部ＨＤＤ３乃至１０に格納されているコンテンツの管理を行うことができるシステムである。
【００１３】
ＤＴＶ１（デジタルテレビジョン：Digital Television）は受信した放送信号に応じた映像を表示部に表示することが出来る、本実施形態における電子機器の一例である。なお、本実施の形態では、電子機器をＤＴＶ１に搭載した場合について説明するが、これに限定されず、例えばＳＴＢ（Set Top box）等の他の電子機器、放送受信機能付き携帯電話、電子機器が搭載された映像記録装置、およびPC（Personal Computer）等に使用することが可能である。
【００１４】
ＤＴＶ１は、装置各部の動作を制御する制御部１５６を備えている。制御部１５６は、ＣＰＵ１５９（Central Processing Unit）等を内蔵している。制御部１５６は、操作部１１６から入力される操作信号や、リモートコントローラ１１７から送信され受光部１１８を介して受信する操作信号に応じて、ＲＯＭ（Read Only Memory）１５７に予め記憶されたシステム制御プログラム及び各種処理プログラムを起動させる。制御部１５６は、ＲＡＭ（Random Access Memory）１５８をＣＰＵ１５９のワークメモリとして、起動したプログラムに従い、装置各部の動作を制御する。また制御部１５６は、各種設定に必要な情報等を例えばＮＡＮＤフラッシュメモリ等のような不揮発性のメモリであるフラッシュメモリ１６０に格納して使用する。
【００１５】
入力端子１４４は、ＢＳ／ＣＳデジタル放送受信用のアンテナ１４３が受信した衛星デジタルテレビジョン放送信号を衛星デジタル放送用のチューナ１４５に供給する。チューナ１４５は、受信したデジタル放送信号のチューニングを行い、チューニングしたデジタル放送信号をＰＳＫ（Phase Shift Keying）復調器１４６に送信する。ＰＳＫ復調器１４６は、ＴＳ（Transport Stream）の復調を行い、復調したＴＳをＴＳ復号器１４７ａに供給し、ＴＳ復号器１４７ａは、ＴＳをデジタル映像信信号、デジタル音声信号、およびデータ信号を含むデジタル信号に復号した後、信号処理部１００にこれを出力する。ここでのデジタル映像信号とはＤＴＶ１が出力可能な映像に関するデジタル信号であり、音声信号はＤＴＶ１が出力可能な音声に関するデジタル信号である。またデータ信号とは、復調したサービスについての各種情報を示すデジタル信号である。
【００１６】
入力端子１４９は、地上波デジタル放送受信用のアンテナ１４８が受信した地上波デジタルテレビジョン放送信号を地上波デジタル放送用のチューナ１５０に供給する。チューナ１５０は第１のチューナ１５０ａ及び第２のチューナ１５０ｂの二つのチューナを有している。チューナ１５０の第１のチューナ１５０ａ及び第２のチューナ１５０ｂは、それぞれ受信したデジタル放送信号のチューニングを行い、チューニングしたデジタル放送信号を２つ存在するＯＦＤＭ（Orthogonal Frequency Division Multiplexing）復調器１５１に送信する。ＯＦＤＭ復調器１５１は、ＴＳの復調を行い、復調したＴＳをそれぞれの対応するＴＳ復号器１４７ｂに供給し、ＴＳ復号器１４７ｂは、ＴＳをデジタル映像信号及び音声信号等に復号した後、信号処理部１００にこれを出力する。チューナ１５０の第１のチューナ１５０ａ及び第２のチューナ１５０ｂのそれぞれで取得した地上波デジタルテレビジョン放送は、２つのＯＦＤＭ復調器１５１、ＴＳ復号器１４７ｂによってそれぞれ同時にデジタル映像信号、音デジタル音声信号、及びデータ信号を含むデジタル信号として復号された後に、信号処理部１００に出力されることが可能である。
【００１７】
アンテナ１４８は、地上波アナログ放送信号も受信可能である。受信された地上波アナログ放送信号は、図示しない分配器によって分配されて、アナログチューナ１６８に供給される。アナログチューナ１６８は、受信したアナログ放送信号のチューニングを行い、チューニングしたアナログ放送信号をアナログ復調器１６９に送信する。アナログ復調器１６９はアナログ放送信号の復調を行い、復調したアナログ放送信号を信号処理部１００に出力する。また、ＤＴＶ１は、一例として、アンテナ１４８が接続される入力端子１４９にＣＡＴＶ（Common Antenna Television）用のチューナを接続することによってＣＡＴＶも視聴することができる。
【００１８】
信号処理部１００は、ＴＳ復号器１４７ａ、１４７ｂ、または制御部１５６から出力されたデジタル信号に、適切な信号処理を施す。より具体的には、信号処理部１００はデジタル信号を映像信号、デジタル音声信号、およびデータ信号に分離する。分離された映像信号はグラフィック処理部１５２に、音声信号は音声処理部１５３に出力される。また信号処理部１００は、アナログ復調器１６９から出力された放送信号を、所定のデジタルフォーマットの映像信号及び音声信号に変換する。デジタルに変換された映像信号はグラフィック処理部１５２に、音声信号は音声処理部１５３に出力される。また信号処理部１００は、ライン入力端子１３７からの入力信号にも所定のデジタル信号処理を施す。
【００１９】
ＯＳＤ（On Screen Display）信号生成部１５４は、制御部１５６の制御に従って、ＵＩ（ユーザ・インタフェース）画面などを表示するためのＯＳＤ信号を生成する。また信号処理部１００においてデジタル放送信号から分離されたデータ信号は、ＯＳＤ信号生成部１５４により適切なフォーマットのＯＳＤ信号に変換され、グラフィック処理部１５２に出力される。
【００２０】
グラフィック処理部１５２は、信号処理部１００から出力されるデジタルの映像信号のデコード処理を行う。デコードされた映像信号は、ＯＳＤ信号生成部１５４から出力されたＯＳＤ信号と重ね合わせて合成され、映像処理部１５５に出力される。グラフィック処理部１５２は、デコードされた映像信号またはＯＳＤ信号を、映像処理部１５５に選択的に出力することもできる。
【００２１】
映像処理部１５５は、グラフィック処理部１５２から出力された信号を、表示部１２０で表示可能なフォーマットのアナログ映像信号に変換する。アナログに変換された映像信号は、表示部１２０に表示される。
【００２２】
音声処理部１５３は、入力された音声信号を、スピーカ１１０で再生可能なフォーマットのアナログ音声信号に変換する。アナログに変換された音声信号は、スピーカ１１０に出力されて再生される。
【００２３】
ＬＡＮ端子１３１は、ＬＡＮＩ／Ｆ１６４を介して制御部１５６に接続されている。ＬＡＮ端子１３１は、イーサネット（登録商標）を用いた一般的なＬＡＮ対応ポートとして使用される。本実施形態においてＬＡＮ端子１３１にはＬＡＮケーブルが接続されており、インターネット２と通信可能となっている。
【００２４】
ＵＳＢ（Universal Serial Bus）端子１３２、１３３は、ＵＳＢ Ｉ／Ｆ１６５、１６６を介して制御部１５６に接続されている。ＵＳＢ端子１３２、１３３は、一般的なＵＳＢ対応ポートとして使用される。ＵＳＢ端子１３２、１３３には、例えばハブを介して、携帯電話、デジタルカメラ、各種メモリカードに対するカードリーダ／ライタ、外部ＨＤＤ、キーボード等が可能である。制御部１５６は、ＵＳＢ端子１３２、１３３を介して接続される機器との間で、情報の通信（送受信）を行うことができる。本実施形態においては、ＵＳＢ端子１３２、１３３にはそれぞれＵＳＢハブ１１、１２が接続されており、ＵＳＢハブ１１、１２は複数の外部ＨＤＤ３乃至１０と接続されている。
【００２５】
内蔵ＨＤＤ１７０（ハードディスクドライブ：Hard Disk Drive）はＤＴＶ１に内蔵される磁気記憶媒体であってＤＴＶ１が有する各種情報を記憶する機能を有している。また、内蔵ＨＤＤ１７０には、内蔵ＨＤＤ１７０に格納されているコンテンツ及び外部ＨＤＤ３乃至１０に格納されているコンテンツのメタ情報が一括して登録されているメタＤＢ（データベース：Data Base）が格納されている。このメタＤＢについては図２を用いて後述にて説明を行う。
【００２６】
外部ＨＤＤ３乃至１０はＤＴＶ１と情報の送受信の可能な磁気記憶装置であって、それぞれ複数のコンテンツおよびこれらのコンテンツに関するメタデータを格納しているＨＤＤである。ここで、コンテンツとは、例えばユーザが録画したテレビ番組等の映像音声情報を指す。また、コンテンツとはテレビ番組等に限定されず、映像提供業者から提供される映像音声情報や、ユーザが撮影した映像音声情報であってもよい。本実施形態においては外部記憶装置の一例をＨＤＤとして例示するが、これに限定されず、例えばＤＶＤ（Digital Versatile Disc）、ＢＤ（Blu-ray（登録商標） Disc）プレイヤー等の光ディスクプレイヤー等であってもよいし、例えば、ＳＳＤ（Solid State Disk）やＳＤカードのような半導体記憶装置であってもよい。また、ＤＴＶ１は接続された外部ＨＤＤを登録することが可能であり、接続された外部ＨＤＤから機器に個別に割り当てられている識別情報を取得し、この識別情報を用いて機器登録を行う。
【００２７】
外部ＨＤＤ３乃至１０は同様の内部構成を有しているため、外部ＨＤＤ３の内部構成を代表して以下にて説明し、他についてはこれを割愛する。
【００２８】
外部ＨＤＤ３は制御部３１、電源制御部３２、及びＤＥ３３を有している。
【００２９】
制御部３１は外部ＨＤＤ３全体の動作を制御する機能を有している。ＤＴＶ１と通信可能であり、ＤＴＶ１からの要求に基づいて外部ＨＤＤ３内に格納されているデータの読み出し／書き込みを制御することができる。
【００３０】
電源制御部３２は外部ＨＤＤ３の外部から供給される電力を制御する機能を有している。外部ＨＤＤ３がアクティブ状態／スタンバイ状態となっている場合には、電源制御部３２は制御部３１に対して電力を供給し、電源ＯＦＦ状態となっている場合には制御部３１に電力を供給しない。
【００３１】
ＤＥ３３はディスクエンクロージャー（Disk Enclosure）と呼ばれる機構部であって、磁気ディスク及びヘッドを有しており、制御部３１からの指示に基づいて機械的に動作し、磁気ディスクに格納されたデータの読み出し／書き込みを実行する。
【００３２】
外部ＨＤＤ３は、アクティブ状態／スタンバイ状態／電源ＯＦＦ状態の３つの電源ステータスを持つ。
【００３３】
アクティブ状態とは、データの読み出し／書き込みを実行する状態であり、制御部３１とＤＥ３３の両方に電力が供給されている。アクティブ状態のとき制御部３１は電源制御部３２から供給される電力の一部をＤＥ３３に供給し、ＤＥ３３を動作させる。
【００３４】
スタンバイ状態とは、ＤＥ３３に電力が供給されず、制御部３１に電力が供給されている状態である。制御部３１は電源制御部３２から供給される電力をＤＥ３３に供給せず、このとき外部ＨＤＤ３はＤＴＶ１からの要求を待機することが可能である。
【００３５】
電源ＯＦＦ状態とは、制御部３１とＤＥ３３との両方に電力が供給されていない状態である。
【００３６】
つまり３つの電源ステータスにおいて、制御部３１及びＤＥ３３に電力が供給されているアクティブ状態が最も電力消費が大きく、スタンバイ状態、電源ＯＦＦ状態の順で消費電力が小さくなる。また、アクティブ状態ではＤＥ３３の機械的動作が行われるため、スタンバイ状態と比較して、消費電力はかなり大きくなる。
【００３７】
ＵＳＢハブ１１及び１２はそれぞれ、４つの外部ＨＤＤを接続可能なＵＳＢのハブである。
【００３８】
次に、上述のメタＤＢについて図２を参照して説明を行う。
【００３９】
図２は本実施形態におけるメタＤＢ２１の一例を示す概念図である。
【００４０】
上述のように、ＤＴＶ１の内蔵ＨＤＤ１７０には、内蔵ＨＤＤ１７０に格納されているコンテンツ及び外部ＨＤＤ３乃至１０に格納されているコンテンツのメタ情報が一括して登録されているメタＤＢ２１が格納されている。
【００４１】
メタＤＢ２１はそれぞれのコンテンツと、このコンテンツに関するメタ情報とが対応付けられて登録されている。図２では、メタＤＢ２１にはコンテンツの格納先のＨＤＤの情報、コンテンツタイトル、番組の放送時間、記録開始時刻、記録終了時刻、ジャンル、番組詳細情報等が対応付けられて示されている。
【００４２】
上述はメタＤＢ２１に登録される情報の一例であり、登録される情報は他にもＨＤ／ＳＤ情報、アスペクト比、アーカイブ情報、録画の正常終了／異常終了の情報等の種々の情報が考えられる。このメタＤＢ２１に登録される情報は例えば番組の録画時等にＴＳから復号されたデータ信号に含まれるＳＩ（Service Information）より取得可能な情報を含んでいても良い。
【００４３】
メタＤＢ２１には内蔵ＨＤＤ１７０及び接続されている外部ＨＤＤ３乃至１０内のコンテンツの情報が登録されており、ユーザはこのコンテンツの情報を用いて外部ＨＤＤを横断してコンテンツのリストを見たり、コンテンツ検索を実行したりできる。
【００４４】
本実施形態におけるコンテンツリストの一例を図３に示す。図３には、本実施形態におけるコンテンツリスト３０１の一例が示されている。
【００４５】
ＤＴＶ１はメタＤＢ２１に登録された情報に基づいてコンテンツリストを作成、表示することができる。ユーザよりコンテンツリスト３０１の表示指示を受けると制御部１５６は内蔵ＨＤＤ１７０に格納されたメタＤＢ２１より情報を取得し、コンテンツリスト３０１の画像を作成し、表示部１２０に表示する。メタＤＢ２１には内蔵ＨＤＤ１７０及びＵＳＢを介して接続されている外部ＨＤＤ内のコンテンツの情報が登録されており、コンテンツリスト３０１によってユーザは記録装置（ＨＤＤ）をシームレスにそれぞれのコンテンツを確認することができる。
【００４６】
また、本実施形態におけるコンテンツ検索画面の一例を図４に示す。図４には、本実施形態におけるコンテンツ検索画面４１の一例が示されている。
【００４７】
制御部１５６はメタＤＢ２１に登録された情報に基づいてコンテンツ検索画面４１を作成、表示することができる。ユーザよりコンテンツ検索画面４１の表示指示を受けると制御部１５６は内蔵ＨＤＤ１７０に格納されたメタＤＢ２１よりコンテンツの情報を取得し、コンテンツ検索画面４１の画像を作成し、表示部１２０に表示する。また、ユーザからの指示に基づいて内蔵ＨＤＤ１７０及びＵＳＢを介して接続されている外部ＨＤＤ内のコンテンツに関してメタＤＢ２１を参照して記録装置（ＨＤＤ）をシームレスにコンテンツの検索を実行することができる。
【００４８】
次に、メタＤＢの更新に関する処理フローについて説明を行う。
【００４９】
図５は、本実施形態におけるメタＤＢ２１の更新に関する処理の一例を示すフロー図である。
【００５０】
まず、ＤＴＶ１が起動すると（ステップＳ５１）、制御部１５６は接続されている外部ＨＤＤに対して、格納しているコンテンツのメタデータをＤＴＶ１へ送信するよう指示を送る（ステップＳ５２）。ここで、制御部１５６はＤＴＶ１が起動したとき接続されている複数のＨＤＤに対して同時に、ステップＳ５２における指示を送信するとしてもよいし、所定間隔の時間を空けてそれぞれのＨＤＤに対して順次指示を送信するとしてもよい。またこのとき、例えば第１のＨＤＤに指示信号を送信した１０秒程度後に第２のＨＤＤに対して指示信号を送信するとしてもよい。この場合、接続されているＨＤＤのスピンアップするタイミングにずれがでるため、全体として同時に多くの電力消費が発生することを回避することができ、さらに、複数ＨＤＤの同時スピンアップによる騒音の問題も低減することができる。
【００５１】
上記指示を受信した外部ＨＤＤは、スタンバイ状態からアクティブ状態へと遷移し、格納している全てのコンテンツのメタデータを読み出して、ＤＴＶ１に対して送信する。ここで外部ＨＤＤのスタンバイ状態からアクティブ状態への遷移をスピンアップとも呼ぶ。このとき、外部ＨＤＤは自身の格納するコンテンツのメタデータを纏めたメタＤＢを有しているとしてもよい。メタＤＢを有するとしたとき、外部ＨＤＤは自身のメタＤＢ全てをＤＴＶ１に送信するとしてもよいし、前回メタＤＢを送信した時点との差分の情報を送るとしてもよい。外部ＨＤＤが差分情報をのみを送る場合には、メタＤＢ全てを送る場合と比較して送信するデータの量を小さくすることができる。
【００５２】
制御部１５６は外部ＨＤＤよりデータを受信すると、これに基づいてメタＤＢ２１を更新する（ステップＳ５３）。メタＤＢ２１の更新処理については図６を用いて後述にて説明を行う。
【００５３】
制御部１５６はステップＳ５３においてメタＤＢ２１の更新処理が完了すると、接続されている全ての外部ＨＤＤに対して、スタンバイ状態へと遷移するように指示を送信する（ステップＳ５４）。ここでアクティブ状態からスタンバイ状態への遷移のことをスピンダウンとも呼ぶ。
【００５４】
次に制御部１５６は、メタＤＢ２１の更新が必要か否かを判別する（ステップＳ５５）。ここで、判断する基準としては外部ＨＤＤの接続が解除されたか否か、新たな外部ＨＤＤが接続されたか否か、放送波の録画等によって外部ＨＤＤの記録内容に変更があったか否か等がある。今まで接続されていた外部ＨＤＤの接続が解除された場合、新たな外部ＨＤＤが接続された場合、または外部ＨＤＤの記録内容に変更があった場合には（ステップＳ５５：Ｙｅｓ）、制御部１５６はメタＤＢ２１の更新処理を実行する（ステップＳ５６）。
【００５５】
メタＤＢ２１の更新が必要ないと判別するとき（ステップＳ５５：Ｎｏ）、またはメタＤＢ２１の更新処理（ステップＳ５６）の実行後、制御部１５６はユーザからのシャットダウン指示を受信したか否かを判別する（ステップＳ５７）。
【００５６】
制御部１５６はユーザからのシャットダウン指示を受信していないとき（ステップＳ５７：Ｎｏ）にはステップＳ５５に戻り、受信したとき（ステップＳ５７：Ｎｏ）にはシャットダウンを実行する（ステップＳ５８）。
【００５７】
以上で一連の処理フローは終了となる。
【００５８】
次に、上述の処理フローのステップＳ５３、ステップＳ５６におけるメタＤＢ２１更新処理について説明を行う。
【００５９】
図６は、本実施形態におけるメタＤＢ２１の更新処理の一例を示すフロー図である。
【００６０】
メタＤＢ２１の更新処理では、制御部１５６はまず、外部ＨＤＤの登録情報を確認し、機器登録されているが接続されていない外部ＨＤＤがあるか否かを判別する（ステップＳ６１）。
【００６１】
登録されているが接続されていない外部ＨＤＤが存在する場合（ステップＳ６１：Ｙｅｓ）、この時点でこの外部ＨＤＤに格納されているコンテンツは視聴することができないため、接続されていない外部ＨＤＤが格納しているコンテンツのメタデータをメタＤＢ２１から削除する（ステップＳ６２）。このとき、メタＤＢ２１にメタデータが存在するままとしてしまうと、リスト表示／検索表示等にてユーザが視聴することのできないコンテンツを表示してしまうこととなる。このため、本実施形態ではメタＤＢ２１内の接続されていない外部ＨＤＤに対応するコンテンツのメタデータを削除するが、これに限定されず、対応するコンテンツのメタデータをリスト表示／検索表示等に選択されないように無効化するとしてもよい。このとき、例えばメタＤＢ２１中のコンテンツに対応するデータの一部に無効化のフラグを立てるとしてもよい。このように構成した場合、制御部１５６はリスト表示／検索表示等を作成する場合には、無効化のフラグが立っているコンテンツについては、リストに載せたり、検索の対象としたりしない。
【００６２】
登録されているが接続されていない外部ＨＤＤが存在しない場合（ステップＳ６１：Ｎｏ）、またはステップＳ６２での削除処理の終了後、制御部１５６は登録されていないが接続されている外部ＨＤＤが存在するか否かの判別を行う（ステップＳ６３）。
【００６３】
登録されていないが接続されている外部ＨＤＤが存在する場合（ステップＳ６３：Ｙｅｓ）、制御部１５６はこの外部ＨＤＤを登録する（ステップＳ６４）。処理の図示は省略するが、制御部１５６はここでまず、ユーザに外部ＨＤＤを登録してよいか否か選択させるための例えばポップアップ表示を作成する。このポップアップ表示を用いて、ユーザが登録を許可する場合には外部ＨＤＤを登録し、許可しない場合には登録を行わずにステップＳ６５へと処理が進む。
【００６４】
登録されていないが接続されている外部ＨＤＤが存在しない場合（ステップＳ６３：Ｎｏ）、またはステップＳ６４での外部ＨＤＤの登録処理の実行後、制御部１５６は更新すべき情報が存在するか否かの判別を行う（ステップＳ６５）。ここでの、更新すべき情報が存在するか否かの判別とは、例えば図５におけるステップＳ５３では、接続された外部ＨＤＤから収集したメタデータと、ＤＴＶ１の有するメタＤＢとを比較し、差分が存在するか否かの判別等をいう。または、図５におけるステップＳ５６では録画処理の実行によるコンテンツの追加、記録していたコンテンツの削除等によって内蔵ＨＤＤ又は外部ＨＤＤのメタデータに変化が生じたか否かの判別等をいう。例えば、ステップＳ５３での差分が存在する場合や、ステップＳ５６での変化が生じた場合には、制御部１５６は更新すべき情報が存在すると判別して（ステップＳ６５：Ｙｅｓ）、更新すべき情報の更新を実行する（ステップＳ６６）。
【００６５】
更新すべき情報が存在しない場合（ステップＳ６５：Ｎｏ）、またはステップＳ６６の終了後はメタＤＢ２１の更新処理フローは終了となる。
【００６６】
次に、コンテンツリスト３０１またはコンテンツ検索画面４１の表示処理について説明を行う。
【００６７】
図７は本実施形態におけるコンテンツリスト３０１／コンテンツ検索画面４１の作成処理の一例を示すフロー図である。
【００６８】
まず、制御部１５６はユーザよりコンテンツリスト３０１／コンテンツ検索画面４１作成の指示を受信したか否かを判別する（ステップＳ７１）。ステップＳ７１で受信しない間は（ステップＳ７１：Ｎｏ）、受信するまで待機する。
【００６９】
ユーザよりコンテンツリスト３０１／コンテンツ検索画面４１作成の指示を受信すると（ステップＳ７１：Ｙｅｓ）、制御部１５６は内蔵ＨＤＤ１７０に格納されたメタＤＢ２１よりデータを取得し（ステップＳ７２）、取得した情報に基づいてコンテンツリスト３０１／コンテンツ検索画面４１を作成する（ステップＳ７３）。更に作成したコンテンツリスト３０１／コンテンツ検索画面４１を表示部１２０に表示する（ステップＳ７４）。
【００７０】
以上で一連の処理フローは終了となる。
【００７１】
本実施形態によれば、制御部１５６は起動時（起動したタイミング）にメタＤＢ２１を一度更新し、更にメタＤＢ２１の内容に変更が必要である場合にメタＤＢ２１を更新する。これによってＤＴＶ１に格納されているメタＤＢ２１の情報はＤＴＶ１の起動中には常に最新の情報となっている。例えば、起動時にメタＤＢ２１を更新しない場合には、ＤＴＶ１がシャットダウンされている間に外部ＨＤＤの内容が更新されてしまうと、ＤＴＶ１の起動後であっても、この情報はメタＤＢ２１に更新されない。つまり、コンテンツリスト３０１／コンテンツ検索画面４１を作成するときに、メタＤＢ２１が最新の状態となっているかどうかわからないため、最新の情報を表示するためには外部ＨＤＤの全てをスピンアップさせ（アクティブ状態とし）、それぞれより情報（メタデータ）を取得する必要がある。これにより、コンテンツリスト３０１／コンテンツ検索画面４１の作成時には、外部ＨＤＤの電力消費が大きなものとなってしまう。また、コンテンツリスト３０１／コンテンツ検索画面４１の作成時に接続されている全ての外部ＨＤＤが動作するため、騒音の問題も発生する。
【００７２】
本実施形態においては、ＤＴＶ１起動中には、外部ＨＤＤに関するメタＤＢ２１は常に最新の情報となっているため、図７に示すように、コンテンツリスト３０１／コンテンツ検索画面４１の作成時に外部ＨＤＤの全てをスピンアップさせる必要がなく消費電力、騒音を低減できる。また更に、外部ＨＤＤにアクセスする必要がないため、コンテンツリスト３０１／コンテンツ検索画面４１の作成処理を高速に行うことができる。
【００７３】
メタＤＢ２１に登録されている機器がＵＳＢを介して接続された外部ＨＤＤの場合には、制御部１５６は外部ＨＤＤのコンテンツのデータの更新状況を把握することができるが、例えばメタＤＢ２１にEthernet（登録商標）等によって接続されているネットワーク上のＮＡＳ（Network Attached Storage）に格納されたコンテンツのデータが格納さているとすると、このＮＡＳについて制御部１５６はコンテンツのデータの更新状況を把握することが困難であるため、この場合には図７におけるステップＳ７２に処理を実行するとき、ＮＡＳに対して、格納しているコンテンツのメタデータを送信するように指示を行い、ＵＳＢで接続されているＨＤＤには指示を行わないとしても良い。このように構成することで、最新のメタデータを有しているか否かを確認できないＮＡＳからはメタデータをもらうため、ステップＳ７４にて表示されるデータは最新のものとなる。
【００７４】
また、ＤＴＶ１のような電子機器には、例えば起動時に自動的に外部ＨＤＤ等の外部記憶装置をアクティブ状態とさせるものがある。このような場合にＤＴＶ１は、この外部ＨＤＤのアクティブ状態への遷移を利用してメタＤＢ２１の更新を行うことができ、より消費電力の手低減に寄与することができる。
【００７５】
本実施形態においては、メタＤＢ２１は内蔵ＨＤＤ１７０に格納されているものとして例示したが、これに限定されず、メタＤＢ２１はフラッシュメモリ１６０に格納されていてもよい。
【００７６】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。さらに異なる実施形態にわたる構成要素を適宜組み合わせてもよい。
【符号の説明】
【００７７】
１…ＤＴＶ、２…インターネット、３…ＨＤＤ、４…ＨＤＤ、５…ＨＤＤ、６…ＨＤＤ、７…ＨＤＤ、８…ＨＤＤ、９…ＨＤＤ、１０…ＨＤＤ、１１…ＵＳＢハブ、１２…ＵＳＢハブ、１３…データ管理システム、１１０…スピーカ、１２０…表示部、１００…信号処理部、１１６…操作部、１１７…リモートコントローラ、１１８…受光部、１１９…メモリカード、１３１…ＬＡＮ端子、１３３…ＵＳＢ端子、１３７…ライン入力端子、１４３…アンテナ、１４４…入力端子、１４５…チューナ、１４６…ＰＳＫ復調器、１４７…ＴＳ復号器、１４８…アンテナ、１４９…入力端子、１５０…チューナ、１５０ａ…第１のチューナ、１５０ｂ…第２のチューナ、１５１…ＯＦＤＭ復調器、１５２…グラフィック処理部、１５３…音声処理部、１５４…ＯＳＤ信号生成部、１５５…映像処理部、１５６…制御部、１５７…ＲＯＭ、１５８…ＲＡＭ、１５９…ＣＰＵ、１６０…フラッシュメモリ、１６４…ＬＡＮ  Ｉ／Ｆ、１６６…ＵＳＢ  Ｉ／Ｆ、１６８…アナログチューナ、１６９…アナログ復調器、１７０…内蔵ＨＤＤ、３１…制御部、３２…電源制御部、３３…ディスクユニット、２１…メタＤＢ、３０１…コンテンツリスト、４１…コンテンツ検索画面。
【図１】
2012142786.tif 000003
【図２】
2012142786.tif 000004
【図３】
2012142786.tif 000005
【図４】
2012142786.tif 000006
【図５】
2012142786.tif 000007
【図６】
2012142786.tif 000008
【図７】
2012142786.tif 000009
【手続補正書】
【提出日】平成23年8月11日(2011.8.11)
【手続補正１】
【補正対象書類名】明細書
【補正対象項目名】０００４
【補正方法】変更
【補正の内容】
【０００４】
【特許文献１】特開２００７−１０４３２８号公報
【手続補正書】
【提出日】平成23年11月30日(2011.11.30)
【手続補正１】
【補正対象書類名】特許請求の範囲
【補正対象項目名】全文
【補正方法】変更
【補正の内容】
【特許請求の範囲】
【請求項１】
複数の記憶装置が記憶するコンテンツに関するデータを、各記憶装置に対して所定間隔の時間を空けて送信するよう指示する制御手段と、
起動してから表示画像を作成する指示を受けるまでの間に前記記憶装置が記憶するコンテンツに関するデータを受信する受信手段と、
前記受信手段が受信した前記コンテンツに関するデータに基づいて、前記複数の記憶装置に記憶されたコンテンツに関するデータを示す表示画像を作成する表示作成手段と、
前記記憶装置に格納されるコンテンツに追加または削除がある場合、当該記憶装置について前記受信手段が受信したデータを更新する更新手段と、
を具備する電子機器。
【請求項２】
前記表示作成手段は、前記受信手段が受信したデータについてのコンテンツ、及び前記更新手段が更新したデータについてのコンテンツの少なくともどちらか一方を含むコンテンツを検索するための検索表示を作成する請求項１記載の電子機器。
【請求項３】
前記表示作成手段は、前記受信手段が受信したデータについてのコンテンツ、及び前記更新手段が更新したデータについてのコンテンツの少なくともどちらか一方を含むコンテンツのリスト表示を作成する請求項１記載の電子機器。
【請求項４】
前記受信手段は、前記複数の記憶装置から、それぞれの記憶装置が記憶するコンテンツに関するデータを受信する請求項１記載の電子機器。
【請求項５】
前記更新手段は、前記コンテンツに関するデータを纏めたデータベースを更新する請求項１記載の電子機器。
【請求項６】
前記表示作成手段が作成した表示画像を表示する表示部を更に具備する請求項１記載の電子機器。
【請求項７】
コンテンツに関するデータが記憶された複数の記憶装置と、
前記複数の記憶装置が記憶するコンテンツに関するデータを、各記憶装置に対して所定間隔の時間を空けて送信するよう指示する制御手段と、起動してから表示画像を作成する指示を受けるまでの間に前記記憶装置が記憶するコンテンツに関するデータを受信する受信手段と、前記受信手段が受信した前記コンテンツに関するデータに基づいて、前記複数の記憶装置に記憶されたコンテンツに関するデータを示す表示画像を作成する表示作成手段と、前記記憶装置に格納されるコンテンツに追加または削除がある場合、当該記憶装置について前記受信手段が受信したデータを更新する更新手段とを有する電子機器と、
を具備するデータ管理システム。
【請求項８】
前記複数の記憶装置が記憶するコンテンツに関するデータを、各記憶装置に対して所定間隔の時間を空けて送信するよう指示し、
起動してから表示画像を作成する指示を受けるまでの間に前記記憶装置が記憶するコンテンツに関するデータを受信し、
受信した前記コンテンツに関するデータに基づいて、前記複数の記憶装置に記憶されたコンテンツに関するデータを示す表示画像を作成し、
前記記憶装置に格納されるコンテンツに追加または削除がある場合、当該記憶装置について前記受信手段が受信したデータを更新する
データ管理方法。
【手続補正２】
【補正対象書類名】明細書
【補正対象項目名】０００７
【補正方法】変更
【補正の内容】
【０００７】
実施の形態の電子機器は、複数の記憶装置が記憶するコンテンツに関するデータを、各記憶装置に対して所定間隔の時間を空けて送信するよう指示する制御手段と、起動してから表示画像を作成する指示を受けるまでの間に前記記憶装置が記憶するコンテンツに関するデータを受信する受信手段と、前記受信手段が受信した前記コンテンツに関するデータに基づいて、前記複数の記憶装置に記憶されたコンテンツに関するデータを示す表示画像を作成する表示作成手段と、前記記憶装置に格納されるコンテンツに追加または削除がある場合、当該記憶装置について前記受信手段が受信したデータを更新する更新手段と、を具備する。